(57)【要約】      （修正有）【課題】点滴監視システムを提供する。【解決手段】点滴監視システム１００は、第１サーバー１１０と、第１サーバーに通信接続され、点滴監視情報を検出して点滴監視情報を第１サーバーに送信するための点滴検出装置１４０と、第１サーバーに通信接続され、第１サーバーの送信した点滴情報を受信するための電子装置１５０とを含み、第１サーバーは、更に、点滴検出装置の送信した点滴監視情報を受信して、残り時間及び点滴流速を算出するように、点滴監視情報と設定情報を比較することに用いられ、第１サーバーは更に制御情報を点滴検出装置に送信することに用いられる。【選択図】図１
2019209147.tif 000002
【特許請求の範囲】
【請求項１】
点滴監視装置であって、
プロセッサーと、
前記プロセッサーに電気的に接続され、点滴の重量情報を検出して、前記重量情報を前記プロセッサーに送信するための重量センサーと、
前記プロセッサーに電気的に接続され、点滴監視情報を第１サーバーに送信し、且つ前記第１サーバーの送信した警報値及び制御情報を受信するための通信モジュールと、
前記プロセッサーに電気的に接続され、警告信号を送信するための警報モジュールと、
を含み、
前記プロセッサーは前記重量情報が前記警報値以下であるかを判断することに用いられ、「はい」と判断すると、前記警報モジュールが前記警告信号を送信するように制御し、前記プロセッサーは、更に、前記制御情報に従って前記警報モジュールを有効又は無効にすることに用いられる点滴監視装置。
【請求項２】
前記プロセッサー、前記重量センサー、前記通信モジュール及び前記警報モジュールに電気的に接続され、前記プロセッサー、前記重量センサー、前記通信モジュール及び前記警報モジュールの必要な電力を提供するための給電モジュールを更に備える請求項１に記載の点滴監視装置。
【請求項３】
前記プロセッサー及び前記給電モジュールに電気的に接続され、前記点滴監視情報及び設定情報を表示するための表示モジュールを更に備える請求項２に記載の点滴監視装置。
【請求項４】
前記プロセッサーは、更に、点滴検出装置の識別番号、点滴検出装置の名称、点滴検出装置の状態、前記警報値及び前記重量情報を含む前記点滴監視情報を前記通信モジュールによって前記第１サーバーに送信することに用いられる請求項１〜３の何れか１項に記載の点滴監視装置。
【請求項５】
前記プロセッサーは、更に、前記給電モジュールの電力を検出して、前記通信モジュールによって電力情報を前記第１サーバーに送信することに用いられる請求項１〜４の何れか１項に記載の点滴監視装置。
【請求項６】
前記通信モジュールは、前記第１サーバーの送信した、空の点滴バッグの重さ、点滴初期重量、薬剤タイプ、薬剤ブランド及びドロッパータイプを含む前記設定情報を受信することに用いられる請求項３に記載の点滴監視装置。
【請求項７】
点滴即時監視システムであって、
第１サーバーと、
前記第１サーバーに通信接続され、点滴監視情報を検出して、前記点滴監視情報を前記第１サーバーに送信するための点滴検出装置と、
前記第１サーバーに通信接続され、前記第１サーバーの送信した点滴情報を受信するための電子装置と、
を含み、
前記第１サーバーは、前記点滴検出装置の送信した前記点滴監視情報を受信して、残り時間及び点滴流速を算出するように、前記点滴監視情報と設定情報を比較することに用いられ、前記第１サーバーは更に制御情報を前記点滴検出装置に送信することに用いられ、
前記点滴情報は前記点滴監視情報、前記残り時間及び前記点滴流速を含む点滴即時監視システム。
【請求項８】
前記第１サーバーに通信接続され、前記第１サーバーの提供した前記点滴情報を受信するための第２サーバーと、
前記第１サーバーに通信接続され、前記第１サーバーの提供した前記点滴情報を受信して、監視情報を前記第１サーバーに送信するための第３サーバーと、
を更に含む請求項７に記載の点滴監視システム。
【請求項９】
前記電子装置と前記第１サーバーとの接続が中断する場合、前記電子装置は前記残り時間を持続的に算出する請求項７又は８に記載の点滴監視システム。
【請求項１０】
前記第１サーバーは、更に、前記重量情報を記録して、且つ現在の重量情報と前回の重量情報との重量差を算出し、前記重量差が閾値より大きいかを判断することに用いられる請求項７〜９の何れか１項に記載の点滴監視システム。
【請求項１１】
前記点滴検出装置は、
プロセッサーと、
前記プロセッサーに電気的に接続され、点滴の重量情報を検出して、前記重量情報を前記プロセッサーに送信するための重量センサーと、
前記プロセッサーに電気的に接続され、前記第１サーバーの送信した制御情報及び警報値を受信するための通信モジュールと、
前記プロセッサーに電気的に接続され、警告信号を送信するための警報モジュールと、
前記プロセッサー、前記重量センサー、前記通信モジュール及び警報モジュールに電気的に接続され、前記プロセッサー、前記重量センサー、前記通信モジュール及び前記警報モジュールの必要な電力を提供するための給電モジュールと、
を備え、
前記プロセッサーは前記重量情報が前記警報値以下であるかを判断することに用いられ、「はい」と判断すると、前記警報モジュールが前記警告信号を送信するように制御し、前記プロセッサーは、更に、前記制御情報に従って前記警報モジュールを有効又は無効にすることに用いられる請求項７〜１０の何れか１項に記載の点滴監視システム。
【請求項１２】
前記プロセッサーは、更に、前記給電モジュールの電力を検出して、前記通信モジュールによって電力情報を前記第１サーバーに送信することに用いられる請求項１１に記載の点滴監視システム。
【請求項１３】
前記点滴検出装置は識別バーコードを更に備え、前記電子装置は前記識別バーコードに従って前記点滴情報及び前記電力情報を調べることに用いられる請求項１２に記載の点滴監視システム。
【請求項１４】
点滴監視方法であって、
点滴検出装置によって点滴監視情報を検出して、前記点滴監視情報を第１サーバーに送信する工程と、
残り時間及び点滴流速を算出するように、前記第１サーバーによって前記点滴監視情報と設定情報を比較する工程と、
前記点滴監視情報、前記残り時間及び前記点滴流速を含む点滴情報を前記第１サーバーによって電子装置に送信する工程と、
前記第１サーバーによって制御情報を前記点滴検出装置に送信する工程と、
を含む点滴監視方法。
【請求項１５】
前記第１サーバーによって前記点滴情報を第２サーバー及び第３サーバーに送信する工程と、
前記第１サーバーによって第３サーバーの送信した監視情報を受信する工程と、
を更に含む請求項１４に記載の点滴監視方法。
【請求項１６】
前記電子装置と前記第１サーバーとの接続が中断する場合、前記電子装置は前記残り時間を持続的に算出する請求項１４又は１５に記載の点滴監視方法。
【請求項１７】
前記第１サーバーは、更に、前記重量情報を記録し、且つ現在の重量情報と前回の重量情報との重量差を算出し、前記重量差が閾値より大きいかを判断することに用いられる請求項１４〜１６の何れか１項に記載の点滴監視方法。
【請求項１８】
前記点滴検出装置の通信モジュールによって前記第１サーバーの送信した前記制御情報、警報値及び前記設定情報を受信する工程と、
前記点滴検出装置の重量センサーによって点滴の重量情報を感知する工程と、
前記点滴検出装置のプロセッサーによって前記重量情報が前記警報値以下であるかを判断し、「はい」と判断すると、警告信号を第１サーバーに送信することに用いられる工程と、を更に含み、
前記設定情報は前記警報値、空の点滴バッグの重さ、点滴初期重量、薬剤タイプ、薬剤ブランド及びドロッパータイプを含む請求項１４〜１７の何れか１項に記載の点滴監視方法。
【請求項１９】
前記プロセッサーによって前記給電モジュールの電力を検出して、前記通信モジュールによって電力情報を前記第１サーバーに送信することに用いられる請求項１８に記載の点滴監視方法。
【請求項２０】
前記点滴検出装置は識別バーコードを更に備え、前記電子装置は前記識別バーコードに従って前記点滴情報及び前記電力情報を調べることに用いられる請求項１９に記載の点滴監視方法。
【発明の詳細な説明】
【技術分野】
【０００１】
本発明は、即時モニタリング技術に関し、特に、点滴監視装置、点滴監視システム及び方法に関する。
【背景技術】
【０００２】
医療用輸液は、ほとんど重力点滴であり、つまり液体バッグ又は液体ボトルを固定された支えにぶら下がって、液体が自然重力によって滴下して血液内に入る。現在、点滴過程の監視形態としては、相変わらず手動モニタリングを使用する。点滴が終わって又は点滴過程が異常であると発見する場合、手動で警報ボタンを押すか、医療スタッフに対処するように通知する必要がある。
【発明の概要】
【発明が解決しようとする課題】
【０００３】
なお、点滴の設定は、異なる薬剤、異なるブランドによって点滴の重量が異なるため、点滴の重量を監視するには、異なる点滴に対して調整する必要があり、使用者は使いにくい。効率的な監視方法がない場合、医療スタッフの作業負荷も増加する。そのため、上記の問題を解決するように、点滴即時監視システムを如何に設計するかは、業界において解決する必要のある問題となる。
【課題を解決するための手段】
【０００４】
本発明の一態様は、プロセッサーと、点滴の重量情報を検出して、重量情報をプロセッサーに送信するための重量センサーと、点滴監視情報を第１サーバーに送信して、且つ第１サーバーの送信した警報値及び制御情報を受信するための通信モジュールと、警告信号を送信するための警報モジュールと、を含み、プロセッサーは重量センサー、通信モジュール及び警報モジュールに電気的に接続され、重量情報は警報値以下であるかを判断することに用いられ、「はい」と判断すると、警報モジュールが警告信号を送信するように制御し、プロセッサーは、更に、制御情報によって警報モジュールを有効又は無効にすることに用いられる点滴監視装置を提供する。
【０００５】
本発明の他の態様は、第１サーバーと、第１サーバーに通信接続され、点滴監視情報を検出して、点滴監視情報を第１サーバーに送信するための点滴検出装置と、第１サーバーに通信接続され、第１サーバーの送信した点滴情報を受信するための電子装置と、を含み、第１サーバーは、更に、点滴検出装置の送信した点滴監視情報を受信して、残り時間及び点滴流速を算出するように、点滴監視情報と設定情報を比較することに用いられ、第１サーバーは更に制御情報を点滴検出装置に送信することに用いられ、点滴情報は点滴監視情報、残り時間及び点滴流速を含む点滴監視システムを提供する。
【０００６】
本発明の他の態様は、点滴検出装置によって点滴監視情報を検出して、点滴監視情報を第１サーバーに送信する工程と、残り時間及び点滴流速を算出するように、第１サーバーによって点滴監視情報と設定情報を比較する工程と、第１サーバーによって点滴情報を電子装置に送信し、点滴情報は点滴監視情報、残り時間及び点滴流速を含む工程と、第１サーバーによって制御情報を点滴検出装置に送信する工程と、を含む点滴監視方法を提供する。
【０００７】
本発明による点滴監視装置、点滴監視システム及び方法は、主に、従来の監視点滴過程の手動モニタリングによる形態を改善し、点滴検出装置によって点滴の重量を即時的に感知し、点滴の重量が閾値以下である場合に警報音を送信して介護者に点滴を交換する必要があると注意させ、且つ点滴の設定情報を第１サーバーから監視装置に送信し、点滴を即時的に監視して且つ設定しやすい効果を達成することができる。
【図面の簡単な説明】
【０００８】
【図１】本発明のある実施例による点滴監視システムを示す模式図である。
【図２Ａ】本発明のある実施例による点滴検出装置を示す模式図である。
【図２Ｂ】本発明のある実施例による点滴検出装置を示す模式図である。
【図３】本発明のある実施例による点滴監視方法を示すフローチャートである。
【図４】本発明のある実施例による工程Ｓ３１０を示すフローチャートである。
【図５】本発明のある実施例による工程Ｓ３２０を示すフローチャートである。
【発明を実施するための形態】
【０００９】
以下で、本発明の異なる特徴を実施するための数多くの異なる実施例又は例を開示して提供する。特別な例における素子及び配置は以下の検討で本開示を簡単化することに用いられる。検討された何れの例は説明のみを目的として使用され、何らかの方法で本発明又はその例の範囲及び意味を制限することではない。なお、本開示は異なる例において数字記号及び／又は文字を繰り返して引用する可能性があり、これらの繰り返しは何れも簡単化及び説明のためのものであり、そのものは以下の検討における異なる実施例及び／又は配置の間の関係を指定しない。
【００１０】
全部の明細書と請求項の範囲に使用された用語（ｔｅｒｍｓ）は、特記のない限り、一般的に各用語をこの領域において、ここで開示した内容の中の特別な内容に使用される普通の意味を有する。当業者のために本開示に関する説明上での追加のガイドを提供するように、本開示を説明するためのある用語を以下又はこの明細書の他のところで検討する。
【００１１】
本文に使用される「結合」又は「接続」とは、２つ又は複数の素子が互いに直接的に実体又は電気的に接触し、又は互いに間接的に実体又は電気的に接触してもよく、「結合」又は「接続」は更に２つ又は複数の素子が互いに操作し又は動作してもよい。
【００１２】
本文では、様々な素子、モジュール、領域、層及び／又はブロックを説明するための第１、第２及び第３等の語彙を使用するのは理解されることができる。しかし、これらの素子、モジュール、領域、層及び／又はブロックはこれらの用語によって制限されるべきではない。これらの詞彙は単一の素子、モジュール、領域、層及び／又はブロックを区別することに用いられることのみに限られる。そのため、下記の第１素子、モジュール、領域、層及び／又はブロックは第２素子、モジュール、領域、層及び／又はブロックとも呼ばれることができ、本発明の主旨を離脱しない。本文に使用されるように、語彙「及び／又は」は挙げられた関連プロジェクトにおける１つ又は複数の任意の組み合わせを含む。本発明の書類に言及した「及び／又は」とは挙げられた素子の任意の１つ、全部又は少なくとも１つの任意の組み合わせを指す。
【００１３】
図１を参照されたい。図１は本発明のある実施例による点滴監視システム１００を示す模式図である。図１に示すように、点滴監視システム１００は、第１サーバー１１０、第２サーバー１２０、第３サーバー１３０、点滴検出装置１４０及び電子装置１５０を備え、第１サーバー１１０はそれぞれ第２サーバー１２０、第３サーバー１３０、点滴検出装置１４０及び電子装置１５０に通信接続される。点滴検出装置１４０は、点滴監視情報を検出して、点滴監視情報を第１サーバー１１０に送信することに用いられる。第１サーバー１１０は、点滴情報を第２サーバー１２０、第３サーバー１３０及び電子装置１５０に送信する。第３サーバー１３０は、監視情報を第１サーバー１１０に送信することに用いられる。第１サーバー１１０は、残り時間及び点滴流速を算出するように、点滴監視情報と設定情報を比較することに用いられ、点滴情報は点滴監視情報、残り時間及び点滴流速を含む。電子装置１５０は、制御情報を第１サーバー１１０に送信することに用いられ、第１サーバー１１０は制御情報を点滴検出装置１４０に送信する。
【００１４】
この実施例において、第２サーバー１２０は病院内のサーバーとして実施されることができ、第３サーバー１３０はその他の業者の医療用クラウドサーバーとして実施されることができ、電子装置１５０は患者、家族、医療スタッフに使用されるスマートフォン、タブレット、又はウェアラブルデバイスとして実施されてよい。
【００１５】
図２Ａを参照されたい。図２Ａは本発明のある実施例による点滴検出装置１４０を示す模式図である。図２Ａに示すように、点滴検出装置１４０は、プロセッサー１４１、重量センサー１４２、通信モジュール１４３、警報モジュール１４４及び給電モジュール１４５を備える。プロセッサー１４１は、重量センサー１４２、通信モジュール１４３、警報モジュール１４４及び給電モジュール１４５に電気的に接続され、給電モジュール１４５は、プロセッサー１４１、重量センサー１４２、通信モジュール１４３、警報モジュール１４４に電気的に接続される。プロセッサー１４１は、有線で第１サーバー１１０に接続されてもよいし、通信モジュール１４３によって無線伝送で第１サーバー１１０に接続されてもよい。
【００１６】
以上のように、重量センサー１４２は、点滴の重量情報を検出して、重量情報をプロセッサー１４１に送信することに用いられる。通信モジュール１４３は第１サーバー１１０の送信した制御情報及び警報値を受信することに用いられ、警報モジュール１４４は警告信号を送信することに用いられ、給電モジュール１４５はプロセッサー１４１、重量センサー１４２、通信モジュール１４３及び警報モジュール１４４の必要な電力を提供することに用いられる。プロセッサー１４１は重量情報が警報値以下であるかを判断することに用いられ、「はい」と判断すると、警報モジュール１４４が警告信号を送信するように制御し、プロセッサー１４１は更に、制御情報に従って警報モジュール１４４を有効又は無効にすることに用いられる。
【００１７】
一実施例において、プロセッサー１４１は、例えばマイクロコントローラ（ｍｉｃｒｏｃｏｎｔｒｏｌｌｅｒ）、マイクロプロセッサー（ｍｉｃｒｏｐｒｏｃｅｓｓｏｒ）、デジタル信号プロセッサー（ｄｉｇｉｔａｌ  ｓｉｇｎａｌ  ｐｒｏｃｅｓｓｏｒ）、特殊用途集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、論理回路のような集積回路又は他の類似の素子又は上記素子の組合せとして実施されてよい。通信モジュール１４３は、グローバル移動通信システム（ｇｌｏｂａｌ  ｓｙｓｔｅｍ  ｆｏｒ  ｍｏｂｉｌｅ  ｃｏｍｍｕｎｉｃａｔｉｏｎ；ＧＳＭ（登録商標））、パーソナルハンディホンシステム（ｐｅｒｓｏｎａｌ  ｈａｎｄｙ−ｐｈｏｎｅ  ｓｙｓｔｅｍ；ＰＨＳ）、ロングタームエヴォリューション（ｌｏｎｇ  ｔｅｒｍ  ｅｖｏｌｕｔｉｏｎ；ＬＴＥ）、マイクロ波による世界標準の通信方式（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ；ＷｉＭＡＸ）、無線ＬＡＮ（ｗｉｒｅｌｅｓｓ  ｆｉｄｅｌｉｔｙ；Ｗｉ−Ｆｉ）等として実施されてよい。警報モジュール１４４は、ブザー、発光素子又はその組合せ等の警告音の送信又はフラッシュを行う装置として実施されてよい。給電モジュール１４５は電池又は電源供給ラインとして実施されてよい。電子装置１５０は、モバイル装置、ウェアラブル装置等、又はその他の信号を受信して且つプロンプトメッセージを送信可能な装置として実施されてよい。
【００１８】
他の実施例において、図２Ｂを参照されたい。図２Ｂは本発明のある実施例による点滴検出装置１４０を示す模式図である。図２Ｂに示すように、図２Ｂに示す実施例は、点滴検出装置１４０は、プロセッサー１４１及び給電モジュール１４５に電気的に接続され、点滴監視情報及び設定情報を表示するための表示モジュール１４６を更に備えることに、図２Ａに示す実施例と異なっている。給電モジュール１４５は、更に、表示モジュール１４６の必要な電力を提供することに用いられる。表示モジュール１４６は、表示パネル又はタッチディスプレイパネルとして実施されてよい。
【００１９】
以下で、図１〜図３を組み合わせて、点滴監視システム１００の運転形態を詳細的に説明する。図３を参照されたい。図３は本発明のある実施例による点滴監視方法３００を示すフローチャートである。点滴監視方法３００は、図１の点滴監視システム１００、及び図２Ａ又は図２Ｂの点滴検出装置１４０に適用されることができる。点滴即時監視方法３００は、以下の工程を含む（理解すべきなのは、本実施形態に言及した工程は、特に順序の記述がない限り、実際の必要に応じてその前後順序を調整することができ、ひいては同時又は一部同時に実行することができる）。
【００２０】
工程Ｓ３１０において、点滴検出装置１４０によって点滴監視情報を検出して、点滴監視情報を第１サーバー１１０に送信する。工程Ｓ３１０は工程Ｓ３１１〜Ｓ３１６を更に含み、図４に合わせて参照されたい。図４は本発明のある実施例による工程Ｓ３１０を示すフローチャートである。図４に示す実施例のように、点滴監視方法３００は、プロセッサー１４１が第１サーバー１１０の送信した設定情報を受信する工程Ｓ３１１を更に実行する。一実施例において、第１サーバー１１０に異なる点滴の設定情報がアクセスされる。設定情報が空の点滴バッグの重さ、警報値、点滴初期重量、薬剤タイプ、薬剤ブランド及びドロッパータイプ等の医者の指示に記載の情報を含むため、使用者は、点滴に点滴監視システム１００をインストールする場合、プロセッサー１４１を使用してネットワークによって第１サーバー１１０に対応した点滴の設定情報をダウンロードし、次に、有線で重量センサー１４２に伝送してよい。
【００２１】
工程Ｓ３１２及び工程Ｓ３１３において、重量センサー１４２によって点滴の重量を感知し、及びプロセッサー１４１によって点滴の重量を算出する。一実施例において、点滴に点滴監視システム１００をインストールした後、重量センサー１４２は点滴の重量を感知し始め、且つ感知した点滴の重量値をプロセッサー１４１に送信し、プロセッサー１４１は重量センサー１４２の感知した点滴の重量値を持続的に算出する。
【００２２】
工程Ｓ３１４及び工程Ｓ３１５において、プロセッサー１４１は点滴の重量が警報値より大きいかを判断する。警報値より大きくないと、プロセッサー１４１は警告情報を送信する。一実施例において、プロセッサー１４１は点滴の重量が設定情報における警報値以下であるかを持続的に検出し、一旦警報値以下になると、警告情報を警報モジュール１４４に送信する。
【００２３】
工程Ｓ３１６において、プロセッサー１４１は点滴の重量を第１サーバー１１０に送信する。一実施例において、プロセッサー１４１は点滴監視情報を第１サーバー１１０に持続的に送信する。点滴監視情報は点滴の重量、警報モジュールの状態（例えば、監視状態又は警告状態）、点滴の識別ＩＤ、プロセッサー１４１の現在の電力等を含む。第１サーバー１１０は点滴監視情報をメモリに記憶する。
【００２４】
一実施例において、介護者は点滴を交換した後、点滴検出装置１４０は点滴重量が前回の点滴重量と同様であるかを自動的に検出且つ判断し、同様であると、本回で交換した点滴の設定情報が前回と同様であることを示し、警報値を別途に設定する必要はなく、同様ではないと、本回で交換した点滴の設定情報が前回と同様ではないのを示し、警報値を改めて入力する必要がある。他の実施例において、違う設定情報を有する点滴を交換して、警報値を調整する必要があると、介護者は警報値を改めて設定することもできる。
【００２５】
以上のように、プロセッサー１４１は、通信モジュール１４３によって点滴監視情報を第１サーバー１１０に送信することに用いられる。点滴監視情報は点滴検出装置の識別番号、点滴検出装置の名称、点滴検出装置の状態、警報値及び重量情報等の情報を含む。点滴検出装置の名称は、例えば「お父さんの点滴」のような使用者の設定した名称であってよい。点滴検出装置の状態は、例えば、監視中、警報中、一時停止中、待機中、クリーンアップ中等の状態のような点滴検出装置の現在の状態である。重量情報は、重量センサー１４２の感知した情報であり、前の段落で説明したように、ここで繰り返して説明しない。
【００２６】
以上のように、点滴監視方法３００は、点滴監視情報に従って残り時間及び点滴流速を算出する工程Ｓ３２０を更に実行する。工程Ｓ３２０は、工程Ｓ３２１〜Ｓ３２４を更に含み、図５に合わせて参照されたい。図５は、本発明のある実施例による工程Ｓ３２０を示すフローチャートである。図５に示す実施例のように、点滴監視方法３００は、残り時間及び点滴流速を算出するように、第１サーバー１１０が点滴の重量と点滴の設定情報を比較する工程Ｓ３２１を更に実行する。一実施例において、プロセッサー１４１は、点滴の重量を受信した後で、点滴の重量を第１サーバー１１０に即時的に送信し、第１サーバー１１０は点滴の残り時間を算出し始め、設定情報における点滴初期重量と一定の時間の後の点滴の重量との比較によって、点滴時間を算出することができる。例えば、点滴初期重量は５００ｇであり、１分間後４９０ｇが残り、点滴時間は５０分であると推定することができる。
【００２７】
以上のように、第１サーバー１１０は、更に点滴の重量に応じて点滴流速を算出することに用いられる。例えば、第１サーバー１１０は、一定の時間内で点滴の流速（重量情報／時間）を算出することができる。一定の時間は２０秒間又は３０秒間であってよく、本開示はこれに制限されない。上記から分かるように、点滴流速及び残り時間はサーバー１１０によって算出して得られた情報である。点滴情報は点滴検出装置１４０からの点滴監視情報、点滴流速及び残り時間を含む。
【００２８】
工程Ｓ３２２において、第１サーバー１１０によって点滴流速及び残り時間を電子装置１５０に送信する。上記の実施例に続いて、残り時間を算出した後で、第１サーバー１１０が残り時間（５０分）を電子装置１５０に送信するため、電子装置の使用者は点滴の完了にどのぐらいかかるかを調べることができる。一実施例において、電子装置１５０に通知メカニズムを設置してもよい。例えば、点滴が１０分で完了する場合、電子装置１５０は、警告信号を送信して、使用者（ここでナース、看護又は介護者である可能性がある）に患者が点滴を交換するのを助けることを通知することができる。
【００２９】
工程Ｓ３２３及び工程Ｓ３２４において、第１サーバー１１０は、点滴の重量が警報値より大きいかを判断し、警報値以下になると、警告情報を電子装置１５０に送信する。一実施例において、第１サーバー１１０は、点滴の重量が設定情報における点滴閾値以下であるかを持続的に検出し、一旦警報値以下になると、点滴の残り時間及び警告情報を電子装置１５０に送信する。第１サーバー１１０は、点滴情報における点滴の識別ＩＤに従って、点滴の残り時間及び警告情報を点滴の識別ＩＤにマッチする電子装置１５０に送信する。警告情報は、警報モジュールの状態又は点滴の交換を通知するメッセージであってよい。
【００３０】
一実施例において、電子装置１５０と第１サーバー１１０との接続が中断する場合、電子装置１５０は、残り時間を持続的に算出する。例えば、介護者の携帯する電子装置１５０がネットワーク中断の状態にあり、第１サーバー１１０と接続を即時的に確立して、第１サーバーの送信した残り時間を受信することができない場合、電子装置１５０は、カウントダウンメカニズムを起動し始め、残り時間を算出し続き、第１サーバー１１０との接続を再度確立する場合、更に第１サーバー１１０の算出した残り時間に応じて電子装置１５０を改めて調整する。
【００３１】
一実施例において、プロセッサー１４１は、更に、給電モジュール１４５の電力を検出して、通信モジュール１４３によって電力情報を第１サーバー１１０に送信することに用いられる。例えば、給電モジュール１４５が電池として実施される場合、プロセッサー１４１は、電池の残り電力を検出して、電力情報を点滴情報と共に第１サーバー１１０に送信することができる。電力情報は、電池電力が使用し終わる前に関連者に電池の交換を通知するように、患者又は介護者に点滴検出装置１４０の電池状態を通知することに用いられる。
【００３２】
一実施例において、第１サーバー１１０は、更に、一定の時間内の重量情報を記録して、且つ現在の重量情報と前回の重量情報との重量差を算出し、重量差が閾値より大きいかを判断することに用いられる。例えば、点滴の初期重量は５００ｇであり、点滴が３分間続く時に重量は４８０ｇであり、５分間続く時に重量は１０ｇである。この時、プロセッサー１４１は、点滴の重量変化が−４７０ｇであると検出する。重量変化が閾値より大きいため、第１サーバー１１０は、この時の状況が点滴異常状況であると判定する。異常状況は、人が点滴検出装置１４０を引くことで、その重量変化が過大になる可能性があり、点滴管が塞がられ、一定の時間内で点滴の重量が変わらない可能性もある等の状況である。異常状況があると、第１サーバー１１０は、この異常状況が持続的に発生するかを検出することができ（重量変化が閾値を持続的に超える）、異常状況が解除されると、第１サーバー１１０はプロセッサー１４１に警報モジュール１４４が警告信号を送信しないように制御することを通知するが、異常状況が一定の時間内で解除されないと、第１サーバー１１０はプロセッサー１４１に警報モジュール１４４が警告信号を送信するように制御することを通知し、関連者に点滴検出装置１４０に異常状況が発生することを注意させる。
【００３３】
以上のように、点滴監視方法３００は、工程Ｓ３３０及び工程Ｓ３４０を更に実行する。第１サーバー１１０は、点滴情報を第２サーバー１２０、第３サーバー１３０及び電子装置１５０に送信し、また、第１サーバー１１０は第３サーバー１３０の送信した監視情報を受信する。一実施例において、第１サーバー１１０は、点滴情報を受信した後で点滴情報を第２サーバー１２０、第３サーバー１３０及び電子装置１５０に送信する。第３サーバー１３０も監視情報を第１サーバー１１０に送信する。監視情報は血圧情報、ハートビート情報、心拍数情報、及び体温情報等の生理情報であってよい。例としては、第１サーバー１１０と第３サーバー１３０とは、互いに情報を送信することができる。第３サーバー１３０は、ハートビート、血圧又は体温等の情報を収集して測定するクラウドサーバーであってよいため、第１サーバー１１０とデータを交換することができる。
【００３４】
他の実施例において、第１サーバー１１０は点滴情報を第３サーバー１３０に送信し、第３サーバー１３０は点滴情報によって後の操作を行うことができる。例として、点滴情報を第３サーバー１３０がサービスするユーザーに提供する。第２サーバー１２０は、病院の内部のサーバーであり、患者の個人データの機密性によって、第２サーバー１２０が患者の個人情報を有するメッセージを第１サーバー１１０に送信することは必ずしも可能ではなく、第１サーバー１１０からの点滴情報のみを受信する。
【００３５】
他の実施例において、患者又は介護者に点滴検出装置１４０の電池の現在の電力を注意させるように、第１サーバー１１０は、点滴情報を送信する時に電力情報を電子装置１５０に併せて送信することができる。
【００３６】
一実施例において、第１サーバー１１０は、プロセッサーからの点滴監視情報を受信することだけでなく、点滴の設定情報を受信することもできる。例えば、点滴の設定情報は、薬量の更新、メーカーの交換又は医薬品証明書の有効期限が切れている原因で上場できない等によって変化することがあるため、点滴の設定情報が第１サーバー１１０におけるユーザーインターフェース（図示せず）によって更新することができる。
【００３７】
続いて、点滴監視方法３００は、工程Ｓ３５０及び工程Ｓ３６０を更に実行する。電子装置１５０の送信した制御情報を受信し、第１サーバー１１０は制御情報を点滴検出装置１４０に送信する。一実施例において、電子装置１５０は、制御情報を第１サーバー１１０に送信することに用いられ、第１サーバー１１０は制御情報を点滴検出装置１４０に送信し、次に、点滴検出装置１４０は制御情報に従って警報モジュール１４４を有効又は無効にすることに用いられる。例えば、第１サーバー１１０は、介護者に権限を開くことができ、介護者に電子装置１５０によって制御メッセージを第１サーバー１１０に送信させることで、点滴検出装置１４０が特定の時間で警報モジュール１４４を有効又は無効にするように制御するため、介護者が点滴検出装置１４０を設定する負荷を低減するように、複数台の点滴検出装置１４０を制御することができる。
【００３８】
以上のように、例えば、介護者は、電子装置１５０によって午前０時から午前６時までは休憩時間であると設定し、警報モジュール１４４を無効にする状態に維持することができる。そのため、点滴重量が警報値以下である場合、警報モジュール１４４は介護者に注意させるように声又は光を出すことはないが、介護者に点滴を検査するのを注意させるように、点滴検出装置１４０は依然として警示メッセージを電子装置１５０に送信する。
【００３９】
以上のように、点滴検出装置１４０に識別バーコードを有してよい。電子装置１５０は、識別バーコードに従って点滴情報及び電力情報を調べることに用いられる。識別バーコードは、一次元バーコード又は二次元バーコードとして実施されてよいが、本開示はこれに制限されない。例えば、患者又は介護者は直接に電子装置１５０によって識別バーコードを走査した後で点滴検出装置１４０の点滴情報及び電力情報を調べて、関連者に点滴の現在の状態（点滴残り時間、点滴流速及び現在の重量等）を分からせることができる。介護者は、例えば警報値等の点滴検出装置１４０の点滴情報を修正することのようなより高い権利を有することができる。
【００４０】
以上のように、電子装置１５０が識別バーコードによって点滴情報及び電力情報を調べた後で、第１サーバー１１０は、電子装置１５０の識別情報及び調べられた点滴検出装置１４０の点滴検出装置の識別番号を記録し、この点滴検出装置１４０の点滴情報及び電力情報を電子装置１５０に自動的に送信し、識別バーコードを改めて走査する必要はない。例として、介護者は介護を必要としている３人の患者があり、３人の患者の点滴はそれぞれ点滴検出装置Ａ、点滴検出装置Ｂ及び点滴検出装置Ｃであり、介護者の電子装置１５０は点滴検出装置Ａ、点滴検出装置Ｂ及び点滴検出装置Ｃに対応した識別バーコードを走査した後で、介護者の電子装置１５０は点滴検出装置Ａ、点滴検出装置Ｂ及び点滴検出装置Ｃの点滴情報及び電力情報を自動的に受信することができる。
【００４１】
一実施例において、第１サーバー１１０は患者の点滴の使用情報を記憶することに用いられてもよい。例えば、同じ症状に対応するが、年齢、性別、民族の違いにより異なる点滴量の注射を必要とし、例えば、２０〜３０歳の白人男性と０〜５歳の黄色い女性とは異なる点滴量を有し、第１サーバー１１０は上記の個人データを取り除いた情報を集め、且つ情報を医療機関又は医学部に提供して研究使用することができる。
【００４２】
上記の本発明の実施形態から分かるように、主に従来の監視点滴過程の手動モニタリングによる形態を改善し、点滴検出装置によって点滴の重量を即時的に感知し、点滴の重量が閾値以下である場合に警報音を送信して介護者に点滴を交換する必要があると注意させ、同時に、点滴の重量を第１サーバーに送信し、第１サーバーは点滴の重量を残り時間に変換して更に看護者の携帯電話に送信し、看護者に点滴を即時交換することを注意させ、点滴の設定情報を第１サーバーから監視装置に送信し、点滴を即時的に監視して且つ設定しやすい効果を達成することができる。
【００４３】
また、上記の例は、順序に従う範例工程であるが、これらの工程は示された順序に従って実行される必要はない。異なる順序に従ってこれらの工程を実行するのは本開示内容の考慮範囲に含まれる。本開示内容の実施例の精神及び範囲を逸脱しない限り、場合によって順序を増加、取り替え、変更して及び／又はこれらの工程を無視することができる。
【００４４】
本発明を実施形態によって以上のように開示したが、本発明を制限することではなく、当業者なら誰でも、本発明の精神や範囲から逸脱しない限り、様々な変更や修正を行うことができるため、本発明の保護範囲は後に付いた特許請求の範囲を基準とすべきである。
【符号の説明】
【００４５】
１００  点滴監視システム
１１０  第１サーバー
１２０  第２サーバー
１３０  第３サーバー
１４０  点滴検出装置
１５０  電子装置
１４１  プロセッサー
１４２  重量センサー
１４３  通信モジュール
１４４  警報モジュール
１４５  給電モジュール
１４６  表示モジュール
３００  点滴監視方法
Ｓ３１０〜Ｓ３６０、Ｓ３１１〜Ｓ３１６、Ｓ３２１〜Ｓ３２４  工程
【図１】
2019209147.tif 000003
【図２Ａ】
2019209147.tif 000004
【図２Ｂ】
2019209147.tif 000005
【図３】
2019209147.tif 000006
【図４】
2019209147.tif 000007
【図５】
2019209147.tif 000008